(57)【要約】【課題】  複数の表示部の配置状態を変更する度に、ハウジングを製作する必要がなく、簡単に且つ容易に複数の表示部の配置状態を変更できるようにする。【解決手段】  第１、第２表示部１７、１８が配置されて腕時計ケース内に配置されるハウジング１０をほぼ円形状に形成し、このハウジング１０を面方向に４５°回転させて腕時計ケース内に配置することにより、第１、第２表示部１７、１８の配置状態を変更する。従って、第１、第２表示部１７、１８の配置状態に応じて、その都度、ハウジング１０を製作する必要がなく、面方向に回転させるだけで、簡単に且つ容易に第１、第２表示部１７、１８の配置状態を変更することができる。これにより、時計モジュール８の共通化を図り、低価格化をも図ることができる。【選択図】        図２
2007078504.tif 000002
【特許請求の範囲】
【請求項１】
時計ケース内に配置されるハウジングと、このハウジングに設けられた複数の表示部とを備えた時計モジュールにおいて、
前記ハウジングをほぼ円形状に形成し、このハウジングをその面方向に所定角度回転させて、前記時計ケースに対する前記ハウジングの取付角度を変えることにより、前記時計ケースに対する前記複数の表示部の配置状態を変更することを特徴とする時計モジュール。
【請求項２】
前記ハウジングの外周部には、前記時計ケースに対して位置決めされる位置決め部が、前記ハウジングの前記取付角度に対応する間隔で複数設けられていることを特徴とする請求項１に記載の時計モジュール。
【請求項３】
前記ハウジングには、前記時計ケースの側面に前記ハウジングの前記取付角度に対応する間隔で設けられた少なくとも２つの押釦にそれぞれ対応する接点部材が、前記ハウジングの前記取付角度に対応する間隔で少なくとも３つ設けられていることを特徴とする請求項１または２に記載の時計モジュール。
【請求項４】
前記複数の表示部に対応する２つの表示用開口部が横長の長方形状で互いに平行に形成された第１文字板と、前記複数の表示部に対応する４つの円形状の表示用開口部が四角形状に配列されて形成された第２文字板とを備え、前記第１、第２文字板のいずれか一方が選択されて前記ハウジングの上面に配置されることを特徴とする請求項１〜３のいずれかに記載の時計モジュール。
【発明の詳細な説明】
【技術分野】
【０００１】
この発明は、電子腕時計などの電子時計に組み込まれる時計モジュールに関する。
【背景技術】
【０００２】
一般に、電子腕時計に組み込まれる時計モジュールにおいては、特許文献１に記載されているように、腕時計ケース内に配置されるハウジングに２つの表示部を設け、このハウジングを腕時計ケース内の所定位置に配置して、２つの表示部が腕時計ケースに対して常に一定の配置状態になるように構成されている。
【特許文献１】特開平６−１８０３７６号
【発明の開示】
【発明が解決しようとする課題】
【０００３】
しかしながら、このような従来の時計モジュールでは、ハウジングが腕時計ケース内の所定位置に組み込まれて、腕時計ケースに対する２つの表示部が常に一定の配置状態になるように構成されているため、腕時計ケースに対する２つの表示部の配置状態を変更する場合には、その変更の度に、腕時計ケースに対する２つの表示部の配置状態に応じてハウジングを製作し直さなければならないという問題がある。
【０００４】
この発明が解決しようとする課題は、時計ケースに対する複数の表示部の配置状態を変更する度に、ハウジングを製作する必要がなく、簡単に且つ容易に複数の表示部の配置状態を変更することができる時計モジュールを提供することである。
【課題を解決するための手段】
【０００５】
この発明は、上記課題を解決するために、次のような構成要素を備えている。
なお、各構成要素には、後述する実施形態の項で説明される各要素に付されている図面の参照番号などを括弧と共に付す。
【０００６】
請求項１に記載の発明は、図１〜図６に示すように、時計ケース(腕時計ケース１)内に配置されるハウジング（１０）と、このハウジングに設けられた複数の表示部（第１、第２表示部１７、１８）とを備えた時計モジュールにおいて、
前記ハウジングをほぼ円形状に形成し、このハウジングをその面方向に所定角度（例えば４５°）回転させて、前記時計ケース対する前記ハウジングの取付角度を変えることにより、前記時計ケースに対する前記複数の表示部の配置状態を変更することを特徴とする時計モジュールである。
【０００７】
請求項２に記載の発明は、図１〜図６に示すように、前記ハウジング（１０）の外周部に、前記時計ケース（腕時計ケース１）に対して位置決めされる位置決め部（第１〜第４切欠け部２３〜２６）が、前記ハウジングの前記取付角度（４５°）に対応する間隔で複数設けられていることを特徴とする請求項１に記載の時計モジュールである。
【０００８】
請求項３に記載の発明は、図１〜図６に示すように、前記ハウジング（１０）に、前記時計ケース（腕時計ケース１）の側面に前記ハウジングの前記取付角度（４５°）に対応する間隔で設けられた少なくとも２つの押釦（第１、第２押釦４、５または第３、第４押釦６、７）にそれぞれ対応する接点部材（第１〜第３接点部材３０〜３２または第４〜第６接点部材３３〜３５）が、前記ハウジングの前記取付角度に対応する間隔で少なくとも３つ設けられていることを特徴とする請求項１または２に記載の時計モジュールである。
【０００９】
請求項４に記載の発明は、図１〜図６に示すように、前記複数の表示部（第１、第２表示部１７、１８）に対応する２つの表示用開口部（１１ａ、１１ｂ）が横長の長方形状で互いに平行に形成された第１文字板（１１）と、前記複数の表示部に対応する４つの円形状の表示用開口部（１２ａ〜１２ｄ）が四角形状に配列されて形成された第２文字板（１２）とを備え、前記第１、第２文字板のいずれか一方が選択されて前記ハウジング（１０）の上面に配置されることを特徴とする請求項１〜３のいずれかに記載の時計モジュール。
【発明の効果】
【００１０】
請求項１に記載の発明によれば、複数の表示部が配置されて時計ケース内に配置されるハウジングをほぼ円形状に形成し、このハウジングをその面方向に所定角度回転させて、時計ケースに対するハウジングの取付角度を変えることにより、時計ケースに対する複数の表示部の配置状態を変更するので、複数の表示部の配置状態を変更する度に、ハウジングを製作する必要がなく、複数の表示部が配置された同じハウジングをその面方向に所定角度回転させるだけで、簡単に且つ容易に時計ケースに対する複数の表示部の配置状態を変更することができ、これにより時計モジュールの共通化を図ることができると共に、低価格化をも図ることができる。
【００１１】
請求項２に記載の発明によれば、ハウジングの外周部に、時計ケースに対して位置決めされる位置決め部が、ハウジングの取付角度に対応する間隔で複数設けられていることにより、ハウジングをその面方向に所定角度回転させて、時計ケースに対するハウジングの取付角度を変えるときに、ハウジングの外周部に設けられた複数の位置決め部のうち、いずれかの位置決め部によってハウジングの面方向における取付角度を規制することができ、これによりハウジングを回転させて時計ケース内に配置しても、ハウジングを時計ケース内に正確に位置決めすることができ、時計ケースに対する複数の表示部の配置状態を正確に且つ良好に変更することができる。
【００１２】
請求項３に記載の発明によれば、ハウジングには、時計ケースの側面にハウジングの取付角度に対応する間隔で設けられた少なくとも２つの押釦にそれぞれ対応する接点部材が、ハウジングの取付角度に対応する間隔で少なくとも３つ設けられていることにより、ハウジングをその面方向に所定角度回転させて時計ケースに対する複数の表示部の配置状態を変更しても、時計ケースの側面に設けられた２つの押釦をハウジングに設けられた３つの接点部材のうちのいずれか２つの接点部材に対応させることができる。このため、接点部材は時計ケースに設けられた押釦の２倍の数を必要とせず、接点部材の数を最小限に抑えることができ、これによっても低価格化を図ることができる。
【００１３】
請求項４に記載の発明によれば、複数の表示部に対応する２つの表示用開口部が横長の長方形状で互いに平行に形成された第１文字板と、複数の表示部に対応する４つの円形状の表示用開口部が四角形状に配列されて形成された第２文字板とを備えているので、複数の表示部が配置されたハウジング上に第１文字板を選択して配置し、この第１文字板の２つの表示用開口部を複数の表示部に対応させることにより、複数の表示部の各表示領域を横長の長方形状が互いに平行する配置状態にすることができ、またハウジングを面方向に所定角度回転させて時計ケースに対するハウジングの取付角度を変え、この状態でハウジング上に第２文字板を選択して配置し、この第２文字板の４つの円形状の表示用開口部を複数の表示部に対応させることにより、複数の表示部の各表示領域を４つの円形状に分割して四角形状に配列した配置状態にすることができる。
【発明を実施するための最良の形態】
【００１４】
以下、図１〜図６を参照して、この発明を電子腕時計に適用した一実施形態について説明する。
図１はこの発明を適用した電子腕時計の拡大正面図、図２はその内部に組み込まれる時計モジュールを示した拡大正面図、図３は図２の時計モジュールの裏面図、図４は図１の電子腕時計において表示部の配置状態を変更した場合の拡大正面図、図５は図４の時計モジュールを示した拡大正面図、図６は図５の時計モジュールの裏面図である。
【００１５】
この電子腕時計は、図１および図４に示すように、腕時計ケース１を備えている。この腕時計ケース１は、全体がほぼ円形状に形成されており、この腕時計ケース１の上面部には、時計ガラス２が取り付けられている。また、この腕時計ケース１の１２時側と６時側とに位置する箇所の側壁部には、それぞれバンド取付部３、３が設けられている。また、この腕時計ケース１の３時側に位置する箇所の側壁部には、第１、第２押釦４、５が設けられており、９時側に位置する箇所の側壁部には、第３、第４押釦６、７が設けられている。これら第１〜第４押釦４〜７は、モード切替スイッチ、時刻修正スイッチなどの各種スイッチの釦部である。
【００１６】
また、この腕時計ケース１は、その内部がほぼ円形状の空間に形成されており、この内部には、図２および図３に示す時計モジュール８が収納されている。この時計モジュール８は、アナログ機能とデジタル機能との両方を搭載したハウジング１０を備えている。このハウジング１０は、全体がほぼ円形状に形成されており、その上面には、図１に示す第１文字板１１と、図４に示す第２文字板１２とのいずれかが選択されて配置されている。この場合、第１文字板１１には、図１に示すように、横長の長方形状をなす２つの表示用開口部１１ａ、１１ｂが互いに平行に形成されている。第２文字板１２には、図４に示すように、円形状の４つの表示用開口部１２ａ〜１２ｄが四角形状に配列された状態で形成されている。
【００１７】
また、このハウジング１０の内部には、図３に示すように、アナログムーブメント１３と、２つのコイン型の電池１４、１５とが配置されている。アナログムーブメント１３は、図２に示すように、その指針軸１３ａがハウジング１０の中心部に設けられた貫通孔１０ａを通して、図１に示すように、ハウジング１０上に配置された第１文字板１１（図４では第２文字板１２）の上方に突出し、この突出した指針軸１３ａの先端部に時針、分針などの指針１６がそれぞれ取り付けられ、この指針１６がハウジング１０上の第１文字板１１（図４では第２文字板１２）の上方を運針するように構成されている。なお、コイン型の電池１４、１５は、図３に示すように、電池押え板２７によってハウジング１０内に取り付けられている。
【００１８】
また、ハウジング１０の上面における１２時側と６時側とに対応する箇所には、図２に示すように、第１、第２表示部１７、１８が設けられている。これら第１、第２表示部１７、１８は、それぞれ液晶表示素子やＥＬ（エレクトロルミネッセンス）表示素子などの平面型の表示素子からなり、図２に示すように、第１文字板１１の表示用開口部１１ａ、１１ｂよりも少し大きい横長のほぼ長方形状に形成され、ハウジング１０に設けられた表示収納部１９、２０内に配置されてハウジング１０の上面側に露出し、この状態で時刻などの情報を電気光学的に表示するように構成されている。
【００１９】
一方、ハウジング１０の下面には、図３に示すように、時計機能に必要な各種の電子部品（図示せず）を搭載した回路基板２１が配置されており、この回路基板２１の下面には、図３に示すように、ステンレスなどの金属板からなる地板２２が取り付けられている。この地板２２は、図３に示すように、その周縁部に設けられた複数のフック部が、回路基板２１の側面を経てハウジング１０の側面に位置し、このハウジング１０の側面に設けられた複数の係止突起１０ｂにそれぞれ係止されることにより、回路基板２１をハウジング１０の下面に挟み付けた状態で取り付けるように構成されている。
【００２０】
ところで、この時計モジュール８は、図２および図５に示すように、ハウジング１０をその面方向に所定角度、例えば４５°の角度だけ回転させて腕時計ケース１に対する取付角度を変えた状態で、腕時計ケース１内に配置することにより、腕時計ケース１に対する第１、第２表示部１７、１８の配置状態を変更するように構成されている。このため、ハウジング１０の周縁部には、図２に示すように、腕時計ケース１に対して位置決めするための第１〜第４切欠け部２３〜２６が、腕時計ケース１に対するハウジング１０の取付角度に対応する間隔、例えば４５°の間隔で設けられている。
【００２１】
すなわち、第１〜第４切欠け部２３〜２６のうち、第１、第２切欠け部２３、２４は、図２に示すように、ハウジング１０の１２時と６時とに位置する箇所に設けられ、腕時計ケース１の内面における１２時と６時との位置に設けられた位置決め突起２８が係合するように構成されている。これにより、ハウジング１０は、図２に示すように、第１、第２切欠け部２３、２４に腕時計ケース１の位置決め突起２８が係合することにより、腕時計ケース１に対し位置決めされる。この状態では、図２に示すように、第１、第２表示部１６、１７が腕時計ケース１の３時と９時とを結ぶ直線Ａに対し平行な配置状態で、ハウジング１０が腕時計ケース１内に位置決めされる。
【００２２】
また、第３、第４切欠け部２５、２６は、腕時計ケース１に対するハウジング１０の取付角度、つまり４５°の間隔で、第１、第２切欠け部２３、２４からハウジング１０の時計回り方向に離れた箇所に設けられている。例えば、第３切欠け部２５は、図２において１２時に位置する箇所の第１切欠け部２３から４５°の角度だけ離れた１時と２時との中間に位置する箇所に設けられており、第４切欠け部２６は、図２において６時に位置する箇所の第２切欠け部２４から４５°の角度だけ離れた７時と８時との中間に位置する箇所に設けられている。
【００２３】
これにより、第３、第４切欠け部２５、２６は、図２においてハウジング１０をその面方向に４５°の角度だけ反時計回りに回転させて腕時計ケース１内に配置するときに、図５に示すように、腕時計ケース１の内面における１２時と６時との位置に設けられた位置決め突起２８が係合するように構成されている。従って、ハウジング１０は、図５に示すように、反時計回りに４５°回転すると、第３、第４切欠け部２５、２６に腕時計ケース１の位置決め突起２８が係合することにより、腕時計ケース１内に位置決めされる。この状態では、図５に示すように、第１、第２表示部１６、１７が腕時計ケース１の３時と９時とを結ぶ直線Ａに対して４５°傾いた配置状態で、ハウジング１０が腕時計ケース１内に位置決めされる。
【００２４】
一方、ハウジング１０の下面に設けられた地板２２には、図３および図６に示すように、第１〜第６接点部材３０〜３５が、第１〜第４押釦４〜７に選択的に対応するように設けられている。すなわち、これら第１〜第６接点部材３０〜３５は、地板２２の外周縁にそれぞれ設けられた板ばね部であり、腕時計ケース１に対するハウジング１０の取付角度に対応する間隔、例えば４５°の間隔で設けられ、第１〜第４押釦４〜７のいずれかによって押圧されると、回路基板２１の外周面に設けられた各接点部２１ａ〜２１ｆのいずれに接離可能に接触してスイッチ信号を出力するように構成されている。
【００２５】
また、これら第１〜第６接点部材３０〜３５のうち、第１〜第３接点部材３０〜３２は、図３および図６に示すように、３時側（図３では３時が左側に位置する)に位置する第１、第２押釦４、５が選択的に対応するように設けられている。また、第４〜第６接点部材３３〜３５は、９時側（図３では９時が右側に位置する）に位置する第３、第４押釦６、７が選択的に対応するように設けられている。
【００２６】
この場合、第１〜第３接点部材３０〜３２のうち、第１、第２接点部材３０、３１は、図３に示すように、３時の位置（図３では左側に位置する３時の位置）を中心に４５°の間隔、つまりハウジング１０の中心部（指針軸１３ａに相当する部分）と３時の位置（図３では左側に位置する３時の位置）とを結ぶ直線Ａに対してそれぞれ上下に２２．５°の間隔で設けられている。これにより、第１接点部材３０は、図２の２時付近（図３では左上側に位置する２時付近）に位置し、図２において３時側に位置する第１押釦４に対応し、第２接点部材３１は、図２の４時付近（図３では左下側に位置する４時付近）に位置し、図２において３時側に位置する第２押釦５に対応するように構成されている。
【００２７】
また、第３接点部材３２は、図３に示すように、第２接点部材３１に対して４５°の間隔で、図２の５時と６時との中間（図３では左下側に位置する５時と６時との中間）に位置して設けられている。これにより、第３接点部材３２は、図３においてハウジング１０を４５°の角度だけ時計回りに回転させて腕時計ケース１内に配置したときに、図６に示すように、第２接点部材３１が第１押釦４に対応して第３接点部材３２が第２押釦５に対応するように構成されている。
【００２８】
同様に、第４〜第６接点部材３３〜３５のうち、第４、第５接点部材３３、３４は、図３に示すように、図２の９時の位置（図３では右側に位置する９時の位置）を中心に４５°の間隔、つまりハウジング１０の中心部（指針軸１３ａに相当する部分）と図２の９時の位置（図３では右側に位置する９時の位置）とを結ぶ直線Ａに対してそれぞれ上下に２２．５°の間隔で設けられている。これにより、第４接点部材３３は、図２の８時付近（図３では右下側に位置する８時付近）に位置し、図２において９時側に位置する第３押釦６に対応し、第５接点部材３４は、図２の１０時付近（図３では右上側に位置する１０時付近）に位置し、図２において９時側に位置する第４押釦７に対応するように構成されている。
【００２９】
また、第６接点部材３５は、図３に示すように、第５接点部材３４に対して４５°の間隔で、図２の１１時と１２時との中間（図３では右上側に位置する１１時と１２時との中間）に位置して設けられている。これにより、第６接点部材３５は、図３においてハウジング１０を４５°の角度だけ時計回りに回転させて腕時計ケース１内に配置したときに、図６に示すように、第５接点部材３４が第３押釦６に対応して第６接点部材３５が第４押釦７に対応するように構成されている。
【００３０】
ところで、ハウジング１０の上面に配置される第１、第２文字板１１、１２のうち、第１文字板１１は、図１に示すように、第１、第２表示部１７、１８が１２時側と６時側とに横長で配置された状態のときに、横長の長方形状に形成された２つの表示用開口部１１ａ、１１ｂが第１、第２表示部１７、１８に対応し、これにより各表示領域が２つの横長の長方形状を平行に配列させた配置状態になるように構成されている。
【００３１】
また、第２文字板１２は、図４に示すように、第１、第２表示部１７、１８が３時と９時とを結ぶ直線Ａに対してそれぞれ４５°の角度傾いて配置された状態のときに、円形状の４つの表示用開口部１２ａ〜１２ｄが第１、第２表示部１７、１８の各両側部に対応し、これにより各表示領域が４つの円形状に分割されて菱形の四角形状に配列された配置状態になるように構成されている。
【００３２】
このような時計モジュール８では、腕時計ケース１内にハウジング１０を組み込むときに、ハウジング１０の周縁部に設けられた位置決め用の第１〜第４切欠け部２３〜２６のうち、図２において１２時と６時とに位置する第１、第２切欠け部２３、２４を腕時計ケース１の内面における１２時と６時との位置に設けられた位置決め突起２８に係合させて位置決めすると、図３に示すように、ハウジング１０の下面の地板２２に設けられた第１〜第６接点部材３０〜３５のうち、第１、第２接点部材３０、３１が腕時計ケース１の３時側に設けられた第１、第２押釦４、５に対応し、第４、第５接点部材３３、３４が腕時計ケース１の９時側に設けられた第３、第４押釦６、７に対応する。
【００３３】
このときには、図２に示すように、ハウジング１０に配置された第１、第２表示部１７、１８が腕時計ケース１の３時と９時とを結ぶ直線Ａに対して平行な状態で配置されるので、図１に示すように、ハウジング１０の上面に第１文字板１１を配置すると、この第１文字板１１の表示用開口部１１ａ、１１ｂがそれぞれ第１、第２表示部１７、１８に対応する。これにより、時計モジュール８は、図１に示すように、第１、第２表示部１７、１８の各表示領域がそれぞれ横長の長方形状をなして１２時側と６時側とに互いに平行に配列された状態になる。
【００３４】
また、この時計モジュール８では、ハウジング１０を面方向に４５°の角度だけ回転させて腕時計ケース１内に組み込むときに、ハウジング１０の周縁部に設けられた位置決め用の第１〜第４切欠け部２３〜２６のうち、図５において１２時と６時とに位置する第３、第４切欠け部２５、２６を腕時計ケース１の内面における１２時と６時との位置に設けられた位置決め突起２８に係合させて位置決めすると、図６に示すように、ハウジング１０の下面の地板２２に設けられた第１〜第６接点部材３０〜３５のうち、第２、第３接点部材３１、３２が腕時計ケース１の３時側に設けられた第１、第２押釦４、５に対応し、第５、第６接点部材３４、３５が腕時計ケース１の９時側に設けられた第３、第４押釦６、７に対応する。
【００３５】
このときには、図５に示すように、ハウジング１０に配置された第１、第２表示部１７、１８がそれぞれ腕時計ケース１の３時と９時とを結ぶ直線Ａに対して４５°の角度で傾いて配置されるので、図４に示すように、ハウジング１０の上面に第２文字板１２を配置すると、この第２文字板１２の４つの円形状の表示用開口部１２ａ〜１２ｄがそれぞれ第１、第２表示部１７、１８の両側部に対応する。これにより、時計モジュール８は、図４に示すように、第１、第２表示部１７、１８の各表示領域がそれぞれ円形状をなして１２時、３時、６時、および９時に対応する菱形の四角形状に配列された状態になる。
【００３６】
このように、この時計モジュール８によれば、第１、第２表示部１７、１８が配置されて腕時計ケース１内に組み込まれるハウジング１０をほぼ円形状に形成し、このハウジング１０をその面方向に４５°回転させて腕時計ケース１内に配置することにより、第１、第２表示部１７、１８を腕時計ケース１の３時と９時とを結ぶ直線Ａに対し平行な配置状態と、その直線Ａに対し４５°傾いた配置状態とに変更することができる。
【００３７】
このため、この時計モジュール８では、第１、第２表示部１７、１８の配置状態に応じて、その都度、時計モジュール８のハウジング１０や第１、第２表示部１７、１８などの各種部品を製作し直す必要がなく、第１、第２表示部１７、１８が配置された同じハウジング１０をその面方向に４５°回転させるだけで、簡単に且つ容易に第１、第２表示部１７、１８の配置状態を変更することができ、これにより時計モジュール８の共通化を図ることができると共に、低価格化をも図ることができる。
【００３８】
この場合、ハウジング１０の外周部には、図２および図５に示すように、腕時計ケース１の１２時と６時とに位置する箇所に設けられた位置決め突起２８に係合して位置決めされる第１〜第４切欠け部２３〜２６が、腕時計ケース１に対するハウジング１０の取付角度つまり４５°の間隔で設けられているので、腕時計ケース１内に配置するときに、ハウジング１０の第１〜第４位置決め部２３〜２６によってハウジング１０の面方向における取付位置を規制することができる。
【００３９】
すなわち、図２において１２時と６時とに位置する第１、第２切欠け部２３、２４を腕時計ケース１の位置決め突起２８に係合させて位置決めすることができ、またハウジング１０を面方向に４５°回転させると、図５において１２時と６時とに位置する第３、第４切欠け部２５、２６を腕時計ケース１の位置決め突起２８に係合させて位置決めすることができる。これにより、ハウジング１０を面方向に４５°回転させても、腕時計ケース１内にハウジング１０を正確に位置決めすることができ、腕時計ケース１に対する第１、第２表示部１７、１８の配置状態を正確に且つ良好に変更することができる。
【００４０】
また、この時計モジュール８では、ハウジング１０の下側に設けられた地板２２に、腕時計ケース１の第１〜第４押釦４〜７が選択的に対応する第１〜第６接点部材３０〜３５を、腕時計ケース１に対するハウジング１０の取付角度つまり４５°の間隔で設けているので、ハウジング１０を面方向に４５°回転させて腕時計ケース１に対する第１、第２表示部１７、１８の配置状態を変更させても、腕時計ケース１の第〜第４押釦４〜７をハウジング１０側の第１〜第６接点部材３０〜３５に選択的に対応させることができる。
【００４１】
このため、この時計モジュール８では、ハウジング１０を面方向に４５°回転させて腕時計ケース１に対する第１、第２表示部１７、１８の配置状態を変更させても、接点部材を第１〜第４押釦４〜７の２倍の数、つまり８個設ける必要がなく、第１〜第６接点部材３０〜３５の６個ですむので、接点部材の数を最小限に抑えることができ、これによっても低価格化を図ることができる。
【００４２】
更に、この時計モジュール８では、第１、第２表示部１７、１８に対応する２つの表示用開口部１１ａ、１１ｂが横長の長方形状で互いに平行に形成された第１文字板１１と、第１、第２表示部１７、１８に対応する４つの円形状の表示用開口部１２ａ〜１２ｄが四角形状に配列されて形成された第２文字板１２とを備えているので、ハウジング１０上に第１文字板１１を配置すると、図１に示すように、この第１文字板１１の２つの表示用開口部１１ａ、１１ｂが第１、第２表示部１７、１８に対応するので、第１、第２表示部１７、１８の各表示領域を横長の長方形状が互いに平行する配置状態にすることができる。
【００４３】
また、ハウジング１０を面方向に４５°回転させて、腕時計ケース１に対するハウジング１０の取付角度を変え、この状態でハウジング１０上に第２文字板１２を配置すると、図４に示すように、この第２文字板１２の４つの円形状の表示用開口部１２ａ〜１２ｄが第１、第２表示部１７、１８の両側部に対するので、第１、第２表示部１７、１８の表示領域を４つの円形状に分割して四角形状に配列した配置状態にすることができる。
【００４４】
なお、上記実施形態では、第１、第２文字板１１、１２を備え、腕時計ケース１に対するハウジング１０の取付角度に応じて第１、第２文字板１１、１２のいずれかを選択してハウジング上に配置するように構成した場合について述べたが、これに限らず、例えば第２文字板１２のみを用い、腕時計ケース１に対するハウジング１０の取付角度に関係なく、常に第２文字板１２のみをハウジング１０上に配置することにより、文字板の共通化を図るようにしても良い。
【００４５】
また、上記実施形態では、腕時計ケース１内にハウジング１０を配置する際、そのハウジング１０を面方向に４５°回転させた場合について述べたが、ハウジング１０の取付角度は必ずしも４５°である必要はなく、自由に角度を設定することができる。
また、上記実施形態では、ハウジング１０に第１、第２表示部１７、１８の２つを設けた場合について述べたが、必ずしも表示部は２つである必要はなく、３つ以上であっても良く、またこれら第１、第２表示部１７、１８の形状は必ずしも横長の長方形状である必要もなく、自由な形状に形成しても良い。
【００４６】
更に、上記実施形態では、電子腕時計に適用した場合について述べたが、必ずしも電子腕時計である必要はなく、例えばとラベルウォッチや、目覚まし時計、置き時計、掛け時計などの各種の電子時計にも適用することができる。
【図面の簡単な説明】
【００４７】
【図１】この発明を適用した電子腕時計の拡大正面図である。
【図２】図１の電子腕時計に組み込まれる時計モジュールを示した拡大正面図である。
【図３】図２の時計モジュールを裏面側から見た拡大裏面図である。
【図４】図１の電子腕時計において表示部の配置状態を変更した場合の拡大正面図である。
【図５】図４の状態における時計モジュールの拡大正面図である。
【図６】図５の時計モジュールを裏面側から見た拡大裏面図である。
【符号の説明】
【００４８】
１  腕時計ケース
４〜７  第１〜第４押釦
８  時計モジュール
１０  ハウジング
１１  第１文字板
１１ａ、１１ｂ  表示用開口部
１２  第２文字板
１２ａ〜１２ｄ  表示用開口部
１７  第１表示部
１８  第２表示部
２３〜２６  第１〜第４切欠け部
２８  位置決め突起
３０〜３５  第１〜第６接点部材
【図１】
2007078504.tif 000003
【図２】
2007078504.tif 000004
【図３】
2007078504.tif 000005
【図４】
2007078504.tif 000006
【図５】
2007078504.tif 000007
【図６】
2007078504.tif 000008